(57)【要約】【課題】水が飛び散る空間においても、ロールペーパーが濡れるのを良好に防ぐことのできるペーパーホルダーを提供する。【解決手段】ロールペーパーを保持し得るホルダー部３と、このホルダー部３を内部に収納できる形状に形成された筒型カバー部２とを備え、筒型カバー部２に対しホルダー部３を、筒型カバー部２内に隠蔽状に収納される収納位置から、筒型カバー部２の外側へ引き出される使用位置に亘り、スライド移動できるように構成する。【選択図】                図２
2004358102.tif 000002
【特許請求の範囲】
【請求項１】
ロールペーパーを保持し得るホルダー部と、該ホルダー部を内部に収納できる形状に形成された筒型カバー部とを備え、該筒型カバー部に対し前記ホルダー部を、筒型カバー部内に隠蔽状に収納させる収納位置から、筒型カバー部の外側へ引き出される使用位置に亘り、スライド移動できるように構成したことを特徴とするペーパーホルダー。
【請求項２】
前記ホルダー部の右端または左端には、前記収納位置において、前記筒型カバー部の蓋となる側板が設けられていることを特徴とする請求項１に記載のペーパーホルダー。
【発明の詳細な説明】
【０００１】
【発明の属する技術分野】
この発明は、ペーパーホルダーに関するものである。
【０００２】
【従来の技術】
従来、例えば図８の平面図で示すようなユニットバス５１においては、浴槽５２とシャワー装置５３が設けられているとともに、浴槽５２の右側の空間内には、便器５４とペーパーホルダー５５が設けられており、便器５４と浴槽５２間はカーテン５６で仕切ることができるように構成されている。
なお、従来、特許文献１のように、予備のロールペーパーをカバーで覆っておき、使用中のロールペーパーが無くなったら、カバーをレールに沿ってスライドさせて、予備のロールペーパーを露出させるように構成したものが開示されている。
【０００３】
【特許文献１】
実開平４−７９５９７号公報
【０００４】
【発明が解決しようとする課題】
図８に示すような従来のユニットバス５１においては、カーテン５６を開けたままでシャワー装置５３を使用したりする場合に、ペーパーホルダー５５に水がかかり、ペーパーホルダー５５に保持されているペーパーが濡れてしまい、ペーパーを使用する際に不快感が生ずるという問題点があった。
また、特許文献１のような構成のものは、２連のロールペーパーの一方を使用できないようにカバーで蓋しておき、他方のロールペーパーが無くなった時に、カバーをスライドさせて、予備のロールペーパーを露出させるものであり、ロールペーパーが濡れることを防止するためのものではなかった。
【０００５】
【課題を解決するための手段】
本発明は、上記従来の問題点に鑑み案出したものであって、ロールペーパーが濡れるのを良好に防ぐことのできるペーパーホルダーを提供せんことを目的とし、その第１の要旨は、ロールペーパーを保持し得るホルダー部と、該ホルダー部を内部に収納できる形状に形成された筒型カバー部とを備え、該筒型カバー部に対し前記ホルダー部を、筒型カバー部内に隠蔽状に収納させる収納位置から、筒型カバー部の外側へ引き出される使用位置に亘り、スライド移動できるように構成したことである。
また、第２の要旨は、前記ホルダー部の右端または左端には、前記収納位置において、前記筒型カバー部の蓋となる側板が設けられていることである。
【０００６】
【発明の実施の形態】
以下、本発明の実施例を図面に基づいて説明する。
図１は、本例のペーパーホルダーの収納位置における斜視図であり、また図２は、使用位置における斜視図である。
【０００７】
ペーパーホルダー１は、筒型カバー部２と、この筒型カバー部２内に収納されるホルダー部３を主体として構成されている。
前記筒型カバー部２は、上方の垂直部２ａの下方が、ロールペーパーの外周に対応した湾曲状の湾曲部２ｂとなっており、この湾曲部２ｂの前面には、縦長の透明窓２ｄが形成されて、内部のロールペーパーの残量を見ることができるように構成されている。
【０００８】
なお、本例では筒型カバー部２の右端は閉塞され、左端は開放されたものとなっており、左端から内部へホルダー部３を入れて収納することができ、また、左側へホルダー部３を引き出して、ホルダー部３を使用位置へスライド移動させることができるように構成されている。
【０００９】
図３の要部拡大図で示すように、筒型カバー部２の垂直部２ａの上面から左側へ延出されてレール板４が設けられており、このレール板４の下面には、断面Ｔ字状のレール４ａ，４ａが二本設けられている。
また、このレール４ａ，４ａの左端側には、レール４ａ，４ａの左端を連結するようにストッパー４ｂが垂下されている。
このレール４ａ，４ａが嵌まり込むレール溝７ａ，７ａが、ホルダー部３の左側板５および右側板６の上面を連結する上面板７に形成されており、レール溝７ａ，７ａを介し、レール４ａ，４ａに沿ってホルダー部３を左右方向にスライド移動させることができるように構成されている。
【００１０】
なお、左側板５および右側板６は、前記筒型カバー部２の垂直部２ａおよび湾曲部２ｂと対応する形状に形成されており、後部には、筒型カバー部２の傾斜段部２ｃに対応する形状の傾斜段部５ａ，６ａが形成されている。
また、左側板５の下端には、下方へ突出して手掛片５ｂが一体形成されており、この手掛片５ｂが嵌まり込む切欠凹部２ｅが、筒型カバー部２の左端下部に形成されている。
【００１１】
即ち、図１に示すように、ホルダー部３を筒型カバー部２内にすっぽりと入れ込んで収納した状態では、ホルダー部３の左側板５が筒型カバー部２の左端側に面一状に嵌まり込んで、左側板５は筒型カバー部２の左端を蓋する蓋部材として作用し、筒型カバー部２内への水の浸入を完全に防ぐことができるものとなる。
なお、左側板５および右側板６の対向する内周面には、それぞれ上下方向に回動できる支持爪８，８が設けられており、この左右の支持爪８，８間にロールペーパーＲを支持させることができるものである。
また、左側板５と右側板６の内側には、上下方向に回動可能に紙切板９が設けられている。
【００１２】
図１の収納位置からホルダー部３を左側へ引き出す際には、手掛片５ｂに指を掛けて良好に引き出すことができ、左側板５の上端がストッパー４ｂに当接することで、ホルダー部３の移動が規制されて、この状態でホルダー部３は使用位置となり、支持爪８，８間に支持されているロールペーパーＲを前面側へ良好に引き出して使用することができるものとなる。
【００１３】
なお、本例のペーパーホルダー１においては、レール板４の上面にリモコンカバー１０が設けられており、このリモコンカバー１０とレール板４間にリモコン収納凹部Ｓが形成されて、このリモコン収納凹部Ｓ内にリモコンを入れることができるように構成されている。
リモコン１２は、図４に示すような形状に形成されており、リモコン収納凹部Ｓ内に挿着される挿入部１４の前端に、三角形状の三角露出部１３が一体形成されており、この三角露出部１３の傾斜した上面は、種々の操作ボタンを備えた操作面１３ａとなっている。
【００１４】
また、図５に示すように、リモコンカバー１０の上面には、左右側にそれぞれ２個ずつの爪孔１０ａ，１０ａ，１０ａ，１０ａが形成され、また中央前側にも一対の爪孔１０ａ，１０ａが形成されており、この６個の爪孔１０ａ，１０ａ，１０ａ内には、取付金具１１の６個の係合爪１１ｃをそれぞれ係合できるように構成されている。
【００１５】
即ち、取付金具１１はＬ字状断面に形成されており、垂直な固定片１１ａには、複数のネジ孔１１ｄ，１１ｄが形成されて、この各ネジ孔１１ｄ内にネジ１６を入れて、ネジ１６を介しユニットバスの壁面の所定位置に、予め取付金具１１を固定しておくことができ、取付金具１１の水平片１１ｂの左右両端および前端に、それぞれ突出された６個の係合爪１１ｃ，１１ｃに対し、リモコンカバー１０の各爪孔１０ａ，１０ａを整合させて、各爪孔１０ａ内に各係合爪１１ｃをスライドさせて入れ込むことにより、各係合爪１１ｃが各爪孔１０ａ内に嵌まり込んで、取付金具１１に良好にリモコンカバー１０が固定され、リモコンカバー１０を一体化したペーパーホルダー１を容易に取り付けることができるものである。また、取付金具１１の上面には、棚板１５等を取り付け固定することができ、棚板１５の下面側に良好にペーパーホルダー１を設置することも可能である。
【００１６】
なお、図６には、収納位置におけるホルダー部３を実線で示したペーパーホルダーの正面図を示しており、また図７では、側面一部断面図を示している。
なお、本例のペーパーホルダー１においては、収納凹部Ｓを形成させてリモコン１２を一体的に取り付けたものを例示しているが、リモコンカバー１０を無くして、レール板４，筒型カバー部２，ホルダー部３のみでペーパーホルダー１を構成して、所定位置に設置して使用することも可能である。
【００１７】
このような構成では、筒型カバー部２内にホルダー部３の全体を収納させて、左側板５で蓋した状態にして防水化を図ることができ、水が飛び散る空間においても、ロールペーパーＲに水が当たることがなく、ロールペーパーの濡れを防ぐことができるものとなる。
また、収納位置においては、外側からは筒型カバー部２のみが見えるため、コンパクトなスッキリとした状態が得られるものである。また、使用の際には、ホルダー部３を左側へ容易にスライド移動させて、ロールペーパーの使用が可能となる。
【００１８】
なお、本例ではホルダー部３を左側へ引き出す構造のものを例示しているが、筒型カバー部２に対し、ホルダー部３を右側へ引き出すような右タイプのものもあり、この右タイプのものでは、筒型カバー部２の上面から右側へレール板４が延出されて構成されるものである。この場合は、収納状態では右側板６が筒型カバー部２の右端を蓋する蓋部材の役目を負うこととなり、筒型カバー部２は左端が閉塞された形状のものとなる。
【００１９】
【発明の効果】
本発明のペーパーホルダーは、ロールペーパーを保持し得るホルダー部と、該ホルダー部を内部に収納できる形状に形成された筒型カバー部とを備え、該筒型カバー部に対し前記ホルダー部を、筒型カバー部内に隠蔽状に収納させる収納位置から、筒型カバー部の外側へ引き出される使用位置に亘り、スライド移動できるように構成したことにより、収納位置においてはホルダー部が筒型カバー部内に収納されており、水が飛び散る空間においても、ペーパーが濡れるのを良好に防ぐことができ、収納位置ではホルダー部は隠蔽されて、コンパクトな設置状態が得られるものとなる。
また、使用する際には、容易にスライドさせてホルダー部を引き出すことができ、使用勝手が良好なものとなる。
【００２０】
また、前記ホルダー部の右端または左端には、前記収納位置において、前記筒型カバー部の蓋となる側板が設けられていることにより、ホルダー部の右端または左端の側板が、収納位置においては筒型カバー部の蓋となり、良好な防水性が確保されるものとなる。
【図面の簡単な説明】
【図１】ペーパーホルダーの収納位置における斜視構成図である。
【図２】ペーパーホルダーの使用位置における斜視構成図である。
【図３】レール板に設けられたレールの部分の拡大断面斜視構成図である。
【図４】リモコンの斜視図である。
【図５】取付金具とリモコンカバーの上面側の分解斜視図である。
【図６】棚板の下方に設置されたペーパーホルダーの正面構成図である。
【図７】設置状態の側面一部断面構成図である。
【図８】ユニットバスの平面構成図である。
【符号の説明】
１    ペーパーホルダー
２    筒型カバー部
２ａ    垂直部
２ｂ    湾曲部
２ｃ    傾斜段部
２ｄ    透明窓
２ｅ    切欠凹部
３    ホルダー部
４    レール板
４ａ    レール
４ｂ    ストッパー
５    左側板
５ａ    傾斜段部
５ｂ    手掛片
６    右側板
７    上面板
７ａ    レール溝
８    支持爪
９    紙切板
１０    リモコンカバー
１０ａ    爪孔
１１    取付金具
１１ａ    固定片
１１ｂ    水平片
１１ｃ    係合爪
１１ｄ    ネジ孔
１２    リモコン
１３    三角露出部
１３ａ    操作面
１４    挿入部
１５    棚板
１６    ネジ
Ｒ    ロールペーパー
Ｓ    リモコン収納凹部
【図１】
2004358102.tif 000003
【図２】
2004358102.tif 000004
【図３】
2004358102.tif 000005
【図４】
2004358102.tif 000006
【図５】
2004358102.tif 000007
【図６】
2004358102.tif 000008
【図７】
2004358102.tif 000009
【図８】
2004358102.tif 000010